(57)【要約】【課題】２つのグループが同じ曲であっても同じ曲を再生しないようにする。【解決手段】ディスク媒体51に記録された信号よりオーディオ再生するディスク媒体再生装置において、システムコントローラ60は、▲１▼ディスクプレーヤが出力可能なチャンネル種別を検出し、▲２▼ディスク媒体に記録されているコンテンツが、プレーヤが出力可能なチャンネル種別以外のチャンネル種別で再生するように記録されている場合、該コンテンツの再生を行わない。【選択図】    図１
2004199750.tif 000002
【特許請求の範囲】
【請求項１】
ディスク媒体に記録された信号よりオーディオ再生するディスク媒体再生方法において、
ディスクプレーヤが出力可能なチャンネル種別を検出し、
ディスク媒体に記録されているコンテンツが、前記プレーヤが出力可能なチャンネル種別以外のチャンネル種別で再生するように記録されている場合には、前記コンテンツの再生を行わないようにする、
ことを特徴とするディスク媒体再生方法。
【請求項２】
前記プレーヤが出力可能なチャンネル種別以外のチャンネル種別でしかコンテンツが記録されておらず、しかも、ダウンミックス不可能であれば、再生条件を満たしていないと判断し、該コンテンツの再生を行わない、
ことを特徴とする請求項1記載のディスク媒体再生方法。
【請求項３】
ディスク媒体の再生に先立って、該ディスク媒体に記録されているナビゲーションデータを読み込んで、各コンテンツのグループ番号を識別すると共に前記再生条件を満たすか判断し、
満たすコンテンツをグループ番号順に管理し、グループ番号順に該コンテンツの再生を行う、
ことを特徴とする請求項2記載のディスク媒体再生方法。
【請求項４】
前記コンテンツはDVDディスクにおける音楽曲データであることを得する請求項1乃至3記載のディスク媒体再生方法。
【請求項５】
ディスク媒体に記録された信号よりオーディオ再生するディスク媒体再生装置において、
ディスクプレーヤが出力可能なチャンネル種別を設定する手段、
ディスク媒体に記録されているコンテンツが、前記プレーヤが出力可能なチャンネル種別以外のチャンネル種別で再生するように記録されているか判別し、記録されている場合には、前記コンテンツの再生を行わないようにする制御手段、
を備えたことを特徴とするディスク媒体再生装置。
【請求項６】
前記制御手段は、前記プレーヤが出力可能なチャンネル種別以外のチャンネル種別でしか前記コンテンツがディスク媒体に記録されておらず、しかも、ダウンミックス不可能であれば、再生条件を満たしていないと判断し、該コンテンツの再生を行わない、
ことを特徴とする請求項５記載のディスク媒体再生装置。
【請求項７】
前記再生条件を満たすコンテンツをグループ番号順に管理する手段、
グループ番号順に該コンテンツの再生を行う手段、
を備え、前記制御手段は、ディスク媒体の再生に先立って、該ディスク媒体に記録されているナビゲーションデータを読み込んで、各コンテンツのグループ番号を識別すると共に前記再生条件を満たすか判断し、前記再生条件を満たすコンテンツを前記管理手段に登録し、
前記再生手段は、グループ番号順に該コンテンツの再生を行う、
ことを特徴とする請求項6記載のディスク媒体再生装置。
【請求項８】
前記コンテンツはDVDディスクにおける音楽曲データであることを得する請求項５乃至７記載のディスク媒体再生装置。
【発明の詳細な説明】
【０００１】
【発明の属する技術分野】
本発明は、ディスク媒体再生方法及び装置に係わり、特に、2チャンネル(2ch)及びマルチchで同一の曲を記録している場合であっても、該同一の曲を重複して再生することがないディスク媒体再生方法及び装置に関する。
【０００２】
【従来の技術】
通常DVDオーディオディスクでは以下の3手法により再生を行っている。第1の方法は、ＡＴＴ(オーディオタイトル)などのコンテンツをグループ化し、各グループのコンテンツをPGC(プログラムチェーン)により2ch及びマルチchたとえば6chで記録する。そして、再生に際して、DVDプレーヤが2ch対応であれば、PGCブロック内の2ch再生用PGCを用いて再生し、DVDプレーヤが6ch対応であれば、6ch再生用PGCを用いて再生する。
【０００３】
第2の方法は、ATT(オーディオタイトル)などのコンテンツをグループ化し、各グループのコンテンツを6chで記録するとともに、6chから２chに変換(ダウンミックスという)する変換係数を記録しておく。そして、再生に際して、DVDプレーヤが6ch対応であれば、6ch再生用コンテンツを再生し、DVDプレーヤが2ch対応であれば、6ch再生用コンテンツを2chにダウンミックスして再生する。
第3の方法は、ATT(オーディオタイトル)などのコンテンツをグループ分けし、それぞれのグループを再生するものである。
なお、特開平11-250629号公報に、オーディオタイトルATTの再生単位を定義するセルを有し、そのセルの再生順を定義することで再生順が定義されるオーディオコンテンツを有したデータ構造が提案されている。
【特許文献1】特開平11-250629号公報
【０００４】
【発明が解決しようとする課題】
第1、第2の方法で再生しても重複再生は起こらず何等問題はないが、第3の方法で再生すると同一曲について重複再生の問題が生じる。たとえば、グループ1が2ch用グループで、グループ2がマルチch用グループとなっていると、グループ1とグループ2が同じ曲であることが多い。かかる場合、従来のグループ順に全てのグループを再生すると同じ曲を２回ずつ再生する事になる。また、チェンジャではディスクを一通り再生し終えたら次のディスクに移るが、このようなディスクは同じ曲を2回づつ再生してからディスクチェンジという動作になってしまう。
【０００５】
図11は従来の問題点説明図で、第1グループGr#1は2ch用のグループ、第2グループGr#2は6ch用のグループ、第3グループGr#3はPGCブロックであり、2ch用のPGC#1と6ch用のPGC#2を備えるもの、第4グループGR#4は6ch→2ch変換可能なダウンミックス(DM)用ブロックである。AOPモード(オーディオ・オンリー・プレーヤー)の再生時は、グループ1のトラック1から順番に再生し、グループ1内のトラックを全て再生し終えると、次のグループに移るという順で再生が行われる。従って、2ch対応DVDプレーヤで図11(a)に示すグループを有するディスクを再生するものとすると、図11(b)に示す順序で、すなわち、▲１▼Gr#1(2ch)→▲２▼ Gr#2(6ch)→▲３▼ Gr#3（PGC#1）→▲４▼Gr#4(ダウンミックス)と再生がおこなわれる。このため、2ch用のGr#1と6ch用のGr#2曲が同じ場合には、同じ曲が2回づつ再生されてしまい、好ましくなかった。
特開平11-250629号公報に示されている従来技術では上記同じ曲を２回ずつ再生するという問題点を解決することはできない。
以上から本発明の目的は、グループ1とグループ2が同じ曲であっても同じ曲を２回ずつ再生しないようにすることである。
【０００６】
【課題を解決するための手段】
本発明は、ディスク媒体に記録された信号よりオーディオ再生するディスク媒体再生装置において、▲１▼ディスクプレーヤが出力可能なチャンネル種別を検出し、▲２▼ディスク媒体に記録されているコンテンツが、前記プレーヤが出力可能なチャンネル種別以外のチャンネル種別で再生するように記録されている場合には、前記コンテンツの再生を行わない。すなわち、プレーヤが出力可能なチャンネル種別以外のチャンネル種別でしか記録されておらず、しかも、ダウンミックス不可能であれば、再生条件を満たしていないと判断し、再生を行わない。
具体的には、ディスク媒体の再生に先立って、該ディスク媒体に記録されているナビゲーションデータを読み込んで、各コンテンツのグループ番号を識別すると共に前記再生条件を満たすか判断し、満たすコンテンツをグループ番号順に管理し、グループ番号順に該コンテンツの再生を行う。
以上のようにすれば、チャンネルの異なるグループ毎に同じ曲が記録されている場合であっても、DVDプレーヤ対応のチャンネルに応じたグループのみ再生できるため、該曲を1回再生するだけでディスクチェンジあるいはディスクリピートをおこなうことができ便利である。
【０００７】
【発明の実施の形態】
（A）本発明の概略
本発明はディスクを一通り再生する時に、同じ曲を複数回再生すること無く、ディスクチェンジやディスクリピートする機能である。
DVDオーディオプレーヤは、ユーザがプレーヤの出力するチャンネル数を設定できる機能を備えている。このチャンネル設定を利用し、DVDプレーヤが2ch対応に設定されていれば、
▲１▼マルチchで再生されるように記録されているコンテンツ（曲）をスキップする、
▲２▼PGCコンテンツは2ch PGCを選ぶ、
▲３▼ダウンミックスコンテンツはダウンミックス（DM）する、
に従って再生を行う。以上に従って再生すれば、図11(a)の例では、
Gr#1(2ch)→Gr#3（PGC#1）→Gr#4(ダウンミックス)
と再生が行われ、同じ曲が重複して再生されることはない。
【０００８】
又、DVDプレーヤがマルチch対応に設定されていれば、
▲１▼2chで再生されるように記録されているコンテンツ（曲）をスキップする、
▲２▼PGCコンテンツはマルチch PGCを選ぶ、
▲３▼ダウンミックスコンテンツはDMしないで再生する、
に従って再生を行う。以上に従って再生すれば、図11(a)の例では、
Gr#2(6ch)→GGr#3（PGC#2）→Gr#4(ダウンミックスせず)
と再生が行われ、同じ曲が重複して再生されることはない。
以上のようにすることにより、グループ分けコンテンツで同じ曲を２回再生してしまう事が無くなり、1回だけの再生完了でディスクリピートやディスクチェンジができる。
【０００９】
（B）DVDオーディオディスクの構造
(1)ナビゲーションデータとプレゼンテーションデータ
DVDオーディオディスクには大別すると２つのタイプのデータが記録されている。第１のタイプはナビゲーションデータ(Navigation Data)であり、第２のタイプはプレゼンテーションデータ(Presentation Data)である。ナビゲーションデータは再生制御データの一般名称であり、プレゼンテーションデータは再生されるオーディオ等の一般名称である。DVDオーディオプレーヤは例えばユーザにより設定されたチャンネルに基づいてナビゲーションデータを参照してプレゼンテーションデータ(オーディオデータ)を検索して再生する。
【００１０】
(2) DVDオーディオディスクのボリューム構成
図１はDVDオーディオディスクに形成されたデータ記録エリアを示し、リードインエリア1とリードアウトエリア2までの間のデータ記録エリア3はボリュームスペースとして割り当てられている。
ボリュームスペース3は、ボリューム／ファイル構造部３ａ、DVDオーディオゾーン３ｂ、DVDオーディオ以外の他記録エリア3ｃよりなり、DVDオーディオゾーン3bに、▲１▼オーディオマネージャAMG 4、▲２▼最大99のオーディオタイトルセットATS#1〜ATS#99が記録されるようになっている。
【００１１】
オーディオマネージャAMGは全てのオーディオタイトルセットATSに対する内容であり、タイトルの再生やユーザオペレーションをサポートするための情報AMGI(AＭG情報)4aや、ボリュームアクセスをサポートするAMGメニュー用ビデオオブジェクトセットAMGM-VOBS 4b、AMGIのバックアップファイル4cを有している。
各オーディオタイトルセットATS#j ５は、▲１▼ATSI(ATS情報)と呼ばれるコントロールデータ5a、▲２▼オーディオオンリータイトルセットのオーディオオブジェクトセットAOTT-AOBS 5b、▲３▼ATSIのバックアップ5cを有している。
オーディオマネージャ情報AMGI 4a、オーディオタイトルセット情報ATSI 5aはナビゲーションデータを構成する。
【００１２】
(3) オーディオオブジェクトセットAOTT-AOBS の構成
図２はオーディオオブジェクトセットAOTT-AOBS 5bの構成図である。オーディオオブジェクトセットAOTT-AOBS 5bは多数のオーディオオブジェクトAOTT-AOB#i(#iは第i番目のAOBを意味する)で構成され、各オーディオオブジェクトAOTT-AOB#iは多数のオーディオタイトルセット・セル(ATS-C#ｉ)で構成され、各オーディオセルは多数のオーディオパックA-PCKを有している。
【００１３】
(4) プレゼンテーション構造
図3はオーディオプレーヤ用のコンテンツのプレゼンテーション構造説明図であり、アルバム、最大9個のグループ#ｉで構成され、各グループは1以上のオーディオタイトルATT#ｉを含み、各オーディオタイトルATT#ｉは1以上のトラック(PGCで定義されるプログラムPG)で構成され、各トラックは1以上のインデックス（セル）で構成されている。
オーディオタイトルセットATSは、図4に示すように多数のプログラムPGをチェーン接続して定義されるPGC構造(プログラムチェーン構造)を有している。すなわち、PGCはPCG情報(ATS-PGCI)で定義される多数のプログラムPGをチェーン接続してなり、各プログラム(program＃ｉ)のセル番号(cell#j)で、AOTT-AOBSで定義されているセルを指定し、その順に再生するようになっている。
【００１４】
（5）AMGI(AＭG情報)の構造
ナビゲーションデータのうちAMGI(AＭG情報)は図5に示す構造を備えている。AOTTサーチポインタテーブルAOTT-SRPT 11はAOTTサーチポインタテーブル情報11aとAOTTサーチポインタ 11bを有している。
AOTTサーチポインタテーブル情報11aはサーチポインタの数(オーディオタイトルATTの数)を示し、AOTTサーチポインタ 11bはオーディオタイトルATT 毎に、▲１▼ATTのグループ番号や▲２▼ATS番号、▲３▼ATSの開始アドレスを有している。すなわち、AOTTサーチポインタ 11bを参照することによりオーディオタイトルATTのグループ番号を識別できる。
【００１５】
(6)ATSI（オーディオタイトルセット情報）の構造
ナビゲーションデータのうちATSI（オーディオタイトルセット情報）20は図6に示すように、ATSIマネージメントテーブルATSI-MAT 21とATSプログラムチェーン情報テーブルATS-PGCIT 22を備えている。ATSIマネージメントテーブルATSI-MAT 21には、▲１▼ATS識別子、▲２▼チャネルアサインメント(2ch,マルチchの別)31、▲３▼ダウンミックス係数(DM係数)、▲４▼オーディオ符号化モード、▲５▼ATS-PGCIT開始アドレス等が記入されている。
従って、ATSIマネージメントテーブルATSI-MAT 21を参照することにより、ATS(グループ)のチャネル種別(2ch,マルチchの別)を識別できる。
【００１６】
ATSプログラムチェーン情報テーブルATS-PGCIT 22には、ATS毎に、▲１▼ATS-PGCI-SRPの数ｎを示すATS-PGCIT情報(ATS-PGCITI) 22a、▲２▼ATS-PGCIサーチポインタ#1〜#n （ATS-PGCI-SRP＃ｉ） 22b、▲３▼、ATSプログラムチェーン情報(ATS-PGCI) 22cを有している。
ATS-PGCIサーチポインタ#1〜#n 22bには、▲１▼PGCブロックであるかを示すPGCブロックモード／PGCブロックタイプ32、▲２▼PGCブロックのチャンネル種別(2ch,マルチchの別)を示すオーディオチャンネル33、▲３▼ATS-PGCI開始アドレスが記入されている。
ATSプログラムチェーン情報(ATS-PGCI) 22cには、▲１▼ダウンミックスによりマルチchから2chへの変換が可能であるかの情報(DM-COEFTN)34、▲２▼ATS-PGのエントリーセルナンバー(トラックの開始セル番号)35、▲３▼ATS-Cの開始アドレス36及び終了アドレスなどが記入されている。
以上より、ナビゲーションデータであるAMGI及びATSIを検査することにより、グループ番号、グループのチャネル種別が分かり、又グループを構成するATTがPGCブロックで構成されているか、及び構成されている場合のチャンネル種別、DMが可能であるか否かの情報を取得することができる。
【００１７】
（Ｃ）DVDビデオ再生装置の構成
図７はオーディオ再生機能を備えたDVDビデオ再生装置の全体構成図であり、ビデオ再生機能は必ずしも必要でない。
DVDオーディオディスク51から光ピックアップ52により読み取られた信号はRFアンプ53に入力する。RFアンプ53は入力信号をＲＦ増幅して次段に出力するとともに、トラッキングエラー信号TES、フォーカシングエラー信号FESを生成してサーボ制御部54に入力する。サーボ制御部54は、トラッキングエラー信号TESを用いて送りモータ55を駆動してトラッキングサーボ制御すると共に、システムコントローラからの指示に基づいて光ピクアップ52をディスク半径方向に移動して所定の位置に位置決めする。また、サーボ制御部54は、フォーカシングエラー信号FESを用いてアクチュエータを駆動して光ピックアップ52の焦点がディスク面に一致するように（合焦点位置になるように）フォーカスサーボ制御する。さらに、サーボ制御部54は、スピンドルモータ56を周速一定回転制御する。
【００１８】
デジタル信号処理部57は、RAM 58を用いてDVD変調信号の復調処理、誤り訂正処理、デジタル認証処理、ストリーム分離及び解析部からのデータ転送要求によるビットストリーム（DVDデータ)の転送処理等を行う。ストリーム分離及び解析部59はDVDデータのストリームの解析を行い、ナビゲーションデータをシステムコントローラ60に入力すると共にオーディオデータをオーディオデコーダ61に入力する。尚、DVDビデオディスクを再生する場合には、ストリーム分離及び解析部59はDVDデータのストリームの解析を行い、ナビゲーションデータをシステムコントローラ60に入力すると共に(1) 選択されたビデオタイトルに応じた主映像、(2)選択された言語による副映像、(3) 選択された言語に応じたオーディオデータに各々分離して出力する。
【００１９】
システムコントローラ60は、各部を制御すると共に、ストリーム分離及び解析部59から入力されるナビゲーションデータを用いて、各グループが、▲１▼PGCコンテンツのグループであるか、▲２▼DM可能コンテンツのグループであるか、▲３▼これら以外の単なるグループ分けしたコンテンツのグループであるか判別する。又、システムコントローラ60は、DVDディスクプレーヤが設定により2ch対応になっているか、マルチch対応になっているか調べる。そして、2ch対応になっていれば、2ch再生可能な各グループの各ATTのATS番号、ATSIアドレスを図8に示すようにグループ順にテーブル化してRAM 73に記憶する。一方、マルチch対応になっていれば、マルチch再生可能な各グループの各ATTのATS番号、ATSIアドレスを図8に示すようにグループ順にテーブル化してRAM 73に記憶する。
【００２０】
以後、システムコントローラ60は、最初のグループにおける最初のATS番号のATSIアドレスをサーボ制御部54に指示して該アドレスにピックアップ52を位置決めし、該アドレスからATS情報(ATSI)を読み取り、該ATS情報に基づいてオーディオ再生を開始する。最初のATS番号における全曲の再生が完了すれば次のATS番号のATSIアドレスよりATS情報(ATSI)を読み取って再生を行い、以下順次、グループ番号、ATS番号を替えて再生を継続する。
オーディオデコーダ61はRAM 62を用いて圧縮オーディオデータをPCMオーディオデータに復元して出力し、DA変換器67はＰＣＭオーディオデータをアナログに変換して出力する。
【００２１】
ビデオディスクの場合、ビデオデコーダ63はRAM 64を用いて主映像のMPEGビデオデータを復元して出力し、サブピクチャデコーダ65はRAM 66を用いて副映像の圧縮データを復元して出力する。ビデオプロセッサ68は主映像と副映像を重ね合わせてビデオエンコーダ69に入力し、ビデオエンコーダ69は入力映像信号をNTSC方式あるいはPAL方式の信号にエンコードして表示系デバイス70に入力する。表示系デバイス70は入力された映像をディスプレイ画面に表示する。
操作部71はシステムコントローラ60に各種操作入力を行い、ch設定部72はディスクプレーヤが出力可能なチャンネルchを設定してシステムコントローラ60に入力する。
【００２２】
(D)本発明の処理
(a)DVDプレーヤ対応チャンネルのグループ選択制御
図9はDVDプレーヤ対応チャンネルのグループ選択制御を説明する処理フローである。
DVDオーディオディスクをプレーヤに装填して起動する(ステップ101)。これにより、システムコントローラ60は、ユーザ選択でDVDプレーヤが2ch対応になっているか、マルチch対応になっているか調べる(ステップ102)。なお、チャンネル設定は、チャンネル設定部72により、あるいは、チャンネル設定のキーオペレーションを実行することにより、あるいはチャンネル設定画面を表示してチャンネルを設定することにより行う。
【００２３】
ついで、システムコントローラ60はストリーム分離及び解析部59を介してオーディオマネージャAMGを読み取って保存し(ステップ103)、第1番目のオーディオタイトルATT(又はAOTT)のATS番号、ATSIアドレス、グループ番号を取得し(ステップ104)、ATSIアドレスが示すアドレスからATS情報（ATSI）を読み取り、オーディオタイトルATTがPGCブロックコンテンツであるか、DM可能コンテンツであるか、それら以外の単なるグループ分けによりグループ分けしたコンテンツであるか識別する(ステップ105)。
単なるグループ分けによりグループ分けしたコンテンツでなければ、すなわち、PGCブロックコンテンツあるいはDM可能コンテンツであれば、グループ順にATS番号及びATSIアドレスをテーブル(図8参照)に記入してRAM 73に格納する(ステップ107)。一方、ステップ106において、オーディオタイトルATTが単なるグループ分けによりグループ分けしたコンテンツであれば、該ATTのチャンネル種別がステップ102で検出したプレーヤ対応チャンネルと一致するかチェックし(ステップ108)、一致すれば、グループ順にATS番号及びATSIアドレスをテーブル(図8参照)に記入してRAM 73に格納する(ステップ107)。
しかる後、DVDオーディオディスクに記録されている全ATSについてテーブル(図8)の作成が完了したかチェックし(ステップ109)、完了してなければ、AMGI情報、ATSI情報を参照して次のATTについてステップ104以降の処理を繰り返す。
以上により、プレーヤ対応のチャンネルに応じたオーディオタイトルATTがグループ順にATS番号、ATSIアドレスを付加かされて図8に示すように保存される。
【００２４】
要約すると、ディスク媒体に記録されているコンテンツが、前記プレーヤが出力可能なチャンネル種別以外のチャンネル種別で再生するように記録されている場合には、テーブルに登録せず、前記コンテンツの再生を行わないようにする。すなわち、プレーヤが出力可能なチャンネル種別以外のチャンネル種別でしか記録されておらず、しかも、ダウンミックス不可能であれば、再生条件を満たしていないと判断し、テーブルに登録せず、再生を行わない。
【００２５】
(b)再生制御
図10は図9の処理でテーブルを作成してからの再生制御のフローである。
システムコントローラ60は、テーブルの作成が完了すれば、第1グループ第1番目のオーディオタイトルATTのATSIアドレスを取得する(ステップ201)。ついで、サーボ制御によりATSIアドレスが示す位置より第1番目のオーディオタイトルATTのATS情報(ATSI情報)を読み取る(ステップ202)。
【００２６】
以後、該読み取ったATS情報に基づいて第1番目のオーディオタイトルATTの再生を行う(ステップ203)。再生が完了すれば(ステップ204)、テーブルに登録されている全グループの全ATTの再生が完了したかチェックし(ステップ205)、完了してなければ、次のオーディオタイトルATTに付いて上記処理を繰り返し、以後、グループ及びオーディオタイトルATTを順次歩進して全グループの全ATTの再生を行う。
【００２７】
以上のようにすれば、DVDプレーヤ対応のチャンネル(2ch又はマルチch)に応じたグループのみ再生できるため、チャンネルの異なるグループ毎に同じ曲が記録されている場合であっても、該曲を1回再生するだけでディスクチェンジあるいはディスクリピートをおこなうことができ便利である。
以上はグループ分けし、グループ毎に再生するか、再生しないかを決定したが、オーディオタイトルATT毎に再生するか、再生しないかを決定し、該決定に基づいて再生制御することもできる。
【００２８】
【発明の効果】
以上本発明によれば、チャンネルの異なるグループ毎に同じ曲が記録されている場合であっても、DVDプレーヤ対応のチャンネルに応じたグループのみ再生できるため、該曲を1回再生するだけでディスクチェンジあるいはディスクリピートをおこなうことができ便利である。
【図面の簡単な説明】
【図１】DVDオーディオディスクに形成されるデータ記録エリアの説明図である。
【図２】オーディオオブジェクトセットAOTT-AOBS の構成図である。
【図３】オーディオプレーヤ用のコンテンツのプレゼンテーション構造説明図である。
【図４】多数のプログラムPGをチェーン接続して定義されるPGC構造説明図である。
【図５】AMGI(AＭG情報)説明図である。
【図６】ATSI（オーディオタイトルセット情報）説明図である。
【図７】オーディオ再生機能を備えたDVDビデオ再生装置の全体構成図である。
【図８】テーブル説明図である。
【図９】DVDプレーヤ対応チャンネルのグループ選択制御を説明する処理フローである。
【図１０】処理でテーブルを作成してからの再生制御のフローである。
【図１１】従来の問題点説明図である。
【符号の説明】
５１  DVDオーディオディスク
５９  ストリーム分離及び解析部
６０  システムコントローラ
６１  オーディオデコーダ
７２  ch設定部
【図１】
2004199750.tif 000003
【図２】
2004199750.tif 000004
【図３】
2004199750.tif 000005
【図４】
2004199750.tif 000006
【図５】
2004199750.tif 000007
【図６】
2004199750.tif 000008
【図７】
2004199750.tif 000009
【図８】
2004199750.tif 000010
【図９】
2004199750.tif 000011
【図１０】
2004199750.tif 000012
【図１１】
2004199750.tif 000013